(57)【要約】      （修正有）【課題】取扱いが簡単で、風等に影響を受けることなく線香等に点火しやすい線香着火用具を提供する。【解決手段】垂直方向に筒状の本体部１１と当該本体部の上部に設けた開閉自在の蓋部１２とを有し、本体部は内側にローソク２０等の火種具を昇降可能に有し、火種具に点火し、降下させた状態で線香１の着火に用い、火種具を上昇させた状態で蓋部を閉じると火種具が消火する。本体部は内側に火種具を載置した火種具受けを有し、火種具受けは上昇方向にスプリング１５にて付勢され、火種具受けに設けたつまみ状の操作部１４を本体部の側壁から外側に突出して設け、当該操作部が昇降可能になっていて、降下した状態でロック可能なロック手段を有する。【選択図】図１
0003157105.tif 000002
【実用新案登録請求の範囲】
【請求項１】
垂直方向に筒状の本体部と当該本体部の上部に設けた開閉自在の蓋部とを有し、
本体部は内側に火種具を昇降可能に有し、火種具に点火し、降下させた状態で線香の着火に用い、火種具を上昇させた状態で蓋部を閉じると火種具が消火することを特徴とする線香着火用具。
【請求項２】
火種具はローソクであることを特徴とする請求項１記載の線香着火用具。
【請求項３】
本体部は内側に火種具を載置した火種具受けを有し、火種具受けは上昇方向にスプリングにて付勢され、
火種具受けに設けたつまみ状の操作部を本体部の側壁から外側に突出して設け、
当該操作部が昇降可能になっていて、降下した状態でロック可能なロック手段を有することを特徴とする請求項１又は２記載の線香着火用具。
【請求項４】
蓋部は閉じると火種具の火炎に接触する消火部を有することを特徴とする請求項１〜３のいずれかに記載の線香着火用具。
【考案の詳細な説明】
【技術分野】
【０００１】
本考案は、墓参時等に線香の点火に利用するのが効果的な線香着火用具に関する。
【背景技術】
【０００２】
線香はローソク等に比較して火が付きにくく、特に墓参時において周囲の風が強い時にはさらに点火しにくい問題がある。
線香は火が付きにくい為にマッチの火は着火時間が短く、ライターでは指先が熱くなり、時には新聞紙等に火を付けてからこの火を利用して線香に点火している光景も見受けられるが、火災等の心配が生じる。
特許文献１には、円筒状の容器底部に先端をフックする吊軸の付いた燭台を設置したものを開示するが、取扱いに不便である。
【先行技術文献】
【特許文献】
【０００３】
【特許文献１】特開２００９−３０９４５号公報
【考案の開示】
【考案が解決しようとする課題】
【０００４】
本考案は取扱いが簡単で、風等に影響を受けることなく線香等に点火しやすい線香着火用具の提供を目的とする。
【課題を解決するための手段】
【０００５】
本考案に係る線香着火用具は、垂直方向に筒状の本体部と当該本体部の上部に設けた開閉自在の蓋部とを有し、本体部は内側に火種具を昇降可能に有し、火種具を点火し、降下させた状態で線香の着火に用い、火種具を上昇させた状態で蓋部を閉じると火種具が消火することを特徴とする。
ここで火種具と表現したのは、ローソク、小型アルコールランプ、小型ベンジンランプ等、芯を有し、芯に火を付けることができるものであって、筒状の本体部の内側に昇降可能に配置できるものであれば、ローソクに限定しない趣旨である。
しかし、現実的で取扱いやすい点からは火種具はローソクがよい。
【０００６】
本考案においては、火種具を昇降可能に備えたものであれば、その昇降手段に限定はない。
簡単な構造で製作しやすい点では、本体部は内側に火種具を載置した火種具受けを有し、火種具受けは上昇方向にスプリングにて付勢され、火種具受けに設けたつまみ状の操作部を本体部の側壁から外側に突出して設け、当該操作部が昇降可能になっていて、降下した状態でロック可能なロック手段を有するのが好ましい。
また、蓋部は閉じると火種具の火炎（芯）に接触し、火が消えるようになっている。
【考案の効果】
【０００７】
本考案に係る線香着火用具はローソク等の火種に火を付け、筒状の本体部に沿って降下させて使用する。
火種具は筒状の内側に配置されているので上部側の開口部付近まで上昇させた上昇位置ではその芯に火が付きやすく、火の付いた火種具は、降下することで火炎の周囲が本体部の筒状部で囲まれるために風等の影響を受けにくい。
よってこのような状態で筒状部の上部開口部から線香の先を挿入し、火種具の炎で容易に着火することができる。
火種具の火を消すときには火種具を上昇させ、蓋を閉じるだけでよい。
【図面の簡単な説明】
【０００８】
【図１】（ａ）は本考案に係る線香着火用具の蓋部を開け、ローソクに火を付けた状態を示し、（ｂ）はローソクを降下させ、線香の先に火を付ける状態を示す。
【図２】ローソクを上昇させ、蓋部を閉じることでローソクの火を消した状態を示す。
【図３】線香着火用具の部品構成例を示す。
【図４】蓋部の拡大斜視図を示す。
【図５】ローソクの昇降を示した要部説明図を示す。
【考案を実施するための最良の形態】
【０００９】
本考案に係る線香着火用具の構造例を以下図面に基づいて説明するが、筒状部の内側にローソク等を昇降可能に備え、火を消すための蓋部を有するものであればこれに限定されない。
【００１０】
線香着火用具１０は、筒状の本体部１１の上部の開口部に上下方向に開閉自在の蓋部１２を有し、本体部１１の下部はベース部１３に着脱自在になっている。
ベース部は墓石等に固定しておくこともできる。
【００１１】
内部の構造は図３を見ると分かりやすいように、本体部１１の側壁を略Ｌ字形状に切り欠き、操作部１４を上下移動させるための昇降部１１ｂを有し、昇降部１１ｂの下側がロック部１１ｃとなっている。
火種具としてのローソク２０をローソク受け３０に載置できるようになっていて、ローソク２０を直接ローソク受け３０に載置してもよいが、本実施例ではローソクがなくなると取り替えやすいようにカップ２１を介して取り付けるようになっている。
ローソク受け３０はスプリング１５により上昇方向に付勢されているとともに昇降操作するつまみ状の操作部１４を有する。
操作部１４はローソク受け３０と柄部１４ａで取り外し可能に連結してあり、ローソク受け３０を本体部１１の内側に挿入し、昇降部１１ｂの穴から柄部１４ａの先をローソク受けに取り付けることで組み立てることができる。
【００１２】
本体部１１の底部側には底部縁からサイド方向に折れ曲がるようにスライド溝１１ｄを有し、ベース部１３から立設した円柱部１３ｂに本体部の底部を嵌着し、ビス等の固定部材１３ａにて着脱自在に固定する。
【００１３】
蓋部１２は本体部１１の上部でヒンジ部材１２ｄ等で開閉自在に取り付けてあり、蓋部１２の上面にはデザイン性を考慮したつまみ部１２ａを有し、裏面側にはローソクの火に接触し火を消す消火部１２ｃと閉じた際に本体部１１の内側に係止する弾性片状の係止部１２ｂを有する。
また、蓋部を閉じた状態で支持する支持片１１ｅを本体部１１側に設けてある。
【００１４】
線香着火器１０を使用する場合には図１（ａ）に示すように、蓋部１２を開ける。
この状態では操作部１４が昇降部１１ｂの長孔上端に当接するまでスプリング１５によりローソク２０が上昇していて、ローソクの芯２２が開口部付近に位置している。
この芯２２にマッチ等で火を付ける。
この状態では風等でローソクの火が消える恐れがあるので、操作部１４を持ってローソク２０を降下させる。
このようにすると、図１（ｂ）に示すようにローソク２０の火炎２１が本体部の筒に囲まれることになり、火が消えにくい状態になる。
よって、線香１の先をローソク等の収納部（収納円筒空間）１１ａに挿入し、火を付けることができる。
その状態を図５（ａ），（ｂ）に示す。
また、ローソクの火を消したいときには、図２に示すように操作部１４の柄部１４ａをロック部１１ｃから外すように周方向にスライドさせるとスプリング１５の力にてローソク２０が上昇する。
ローソク２０を上昇させた状態で蓋部１２を閉じると金属製の円板状消火部１２ｃが芯の先を押すように接触し、消火できる。
この状態を模式的に示したのが図５（ｃ）である。
【００１５】
本実施例に係る線香着火用具１０は、固定部材１３ａを緩めることでベース部１３から本体部１１を取り外すことができるので内部の清掃がしやすく、ローソク２０の取り替えや補給も簡易である。
【符号の説明】
【００１６】
１        線香
１０      線香着火用具
１１      本体部
１１ａ    収納部
１１ｂ    昇降部
１１ｃ    ロック部
１２      蓋部
１２ａ    つまみ部
１２ｂ    係止部
１２ｃ    消火部
１３      ベース部
１４      操作部
１５      スプリング
２０      ローソク
２１      火炎
３０      ローソク受け
【図１】
0003157105.tif 000003
【図２】
0003157105.tif 000004
【図３】
0003157105.tif 000005
【図４】
0003157105.tif 000006
【図５】
0003157105.tif 000007